(57)【特許請求の範囲】
【請求項１】
所定形状の嵌合部に嵌合させた部材により所定方向への変位操作が可能となる変位機構を備えた取付対象物に対し、前記嵌合部の周辺領域に取り付けられる錠前装置であって、
当該錠前装置の裏側から前記取付対象物に向けて延出する位置関係で固定される第１キーと、
前記第１キーを前記取付対象物における変位操作と同じ方向へと変位可能に取り付けるキー取付部と、
当該錠前装置の表裏方向と交差する平面視で前記キー取付部と重ならない位置に配置され、所定形状の嵌合部である副嵌合部に嵌合させた第２キーにより所定方向への変位操作が可能となる錠前部と、
前記錠前部に対する変位操作を、前記取付対象物における変位操作と同じ方向の変位操作として前記キー取付部に伝達することにより、該キー取付部に取り付けられた第１キーを間接的に変位させるリンク機構と、を備えており、
前記キー取付部は、少なくとも前記第１キーの取付部分たる端部側が前記錠前部と表裏方向に沿って重なる位置関係となるように、該錠前部に対して表裏方向に沿った表側へと所定距離だけオフセットされている
ことを特徴とする錠前装置。
【請求項２】
前記取付対象物の変位機構に対する変位操作が、該取付対象物の嵌合部への部材の嵌合方向と交差する平面視で、該嵌合部に嵌合させた部材を該嵌合部の所定箇所を回転中心として回転させる操作である場合において、
前記キー取付部は、当該錠前装置の表裏方向と交差する平面視で、前記第１キーの所定箇所を回転中心として回転する方向へと変位可能となるように前記第１キーを取り付けており、
前記錠前部は、当該錠前装置の表裏方向と交差する平面視で、前記副嵌合部に嵌合させた前記第２キーを該副嵌合部の所定箇所を回転中心として回転させることができるように構成されており、
前記リンク機構は、前記錠前部に対する回転方向の変位操作を、前記取付対象物における変位操作と同じ回転方向の変位操作として前記キー取付部に伝達する
ことを特徴とする請求項１に記載の錠前装置。
【請求項３】
当該錠前装置の表裏方向と交差する平面に沿って拡がる板状の躯体部を備え、該躯体部の表側に前記錠前部の副嵌合部が配置され、該躯体部の裏側に前記キー取付部および前記リンク機構が配置されており、
前記キー取付部は、当該錠前装置の表裏方向と交差する平面視で、前記第１キーの所定箇所を回転中心として回転可能に前記躯体部へと固定された板状の部材であって、該回転中心を含む領域を表裏方向に貫通する嵌合孔に前記第１キーの端部側が嵌合されており、
前記躯体部は、前記キー取付部の嵌合孔に対応する領域に、該嵌合孔を通過してきた前記第１キーの端部側を収容するための収容孔を備え、該収容孔に前記第１キーの端部側を収容して保持することで前記キー取付部が前記躯体部に対して回転可能となるように固定されている
ことを特徴とする請求項２に記載の錠前装置。
【請求項４】
前記キー取付部に取り付けられた前記第１キーが少なくとも前記取付対象物における変位操作に必要な所定角度以上回転することを抑制する抑制部を備えている
ことを特徴とする請求項２または請求項３のいずれかに記載の錠前装置。
【請求項５】
前記キー取付部に取り付けられた前記第１キーが少なくとも前記取付対象物における変位操作に必要な所定角度以上回転することを抑制する抑制部を備えており、
前記抑制部は、前記躯体部における収容孔のうち、前記第１キーが少なくとも前記取付対象物における変位操作に必要な角度回転した以降に通過する領域に向けて、該収容孔内周面から延びる延出片として形成されている
ことを特徴とする請求項３に記載の錠前装置。
【発明の詳細な説明】
【技術分野】
【０００１】
本発明は、所定の嵌合部に嵌合させた部材により所定方向への変位操作が可能となる変位機構を備えた取付対象物に対し、その嵌合部の周辺領域に取り付けられる錠前装置に関する。
【背景技術】
【０００２】
従来から、例えばキーのような所定形状の操作部材を嵌合部に嵌合させた状態で操作可能となる扉やスイッチなどの操作装置が用いられており、この操作部材を着脱可能な別体のものとして必要なときにのみ嵌合部に嵌合させるようにすることで、意図しない第三者による安易な操作を防止している。
【０００３】
この種の操作装置では、装置ごとまたは装置の種類ごとに、嵌合部の形状および操作部材の形状を異ならせることが一般的であり、複数の装置を設置して使用するような環境下では装置ごとまたは装置の種類ごとに別の操作部材が必要となることから、管理者が全ての装置に対応する複数の操作部材を持ち歩き、各装置に対応する操作部材を選別して使用しなければならず、操作部材および各装置の管理に多大な労力を要していた。
【０００４】
このような課題に対し、本願出願人は、各操作装置に取り付けられるものとして、操作部材である解錠用キーにより操作装置側の嵌合部に嵌合させておいた操作部材を間接的に操作する錠前装置を提案している（特許文献１参照）。この錠前装置では、解錠用キーを嵌合させて解錠方向に操作することで、この操作に連動する変位機構を介して操作装置側の操作部材を変位させることができる。
【０００５】
この錠前装置であれば、複数の操作装置それぞれに取り付けられる錠前装置それぞれの解錠用キーを共通のものとしておくことで、これら操作装置を同じ解錠用キーで操作できるようになり、各操作装置に対応する全ての操作部材を持ち歩き、各装置に対応する操作部材を選別して使用するといったことが必要なくなるため、操作部材および各装置の管理がより容易になる。
【先行技術文献】
【特許文献】
【０００６】
【特許文献１】実用新案登録第３１２８９５１号公報
【発明の概要】
【発明が解決しようとする課題】
【０００７】
ただ、上述した錠前装置では、錠前装置自体の嵌合部と操作装置の嵌合部とが解錠用キーおよび操作部材の嵌合方向に配列されている構造上、その嵌合方向に沿って一定以上の長さを有しているため、錠前装置を狭いスペースに配置することが難しくなる。
【０００８】
例えば、遊技機の筐体内に配置された設定変更のためのスイッチボックスや、券売機や自販機などの筐体内に配置された料金回収箱などのように、筐体の内部に操作装置全体が収容されているような場合には、取付対象物たる操作装置の外周から筐体の内周壁までのスペースが充分に確保されていないケースもあり、このようなスペースに制約のあるケースで従来の錠前装置を取り付けて使用することができなかった。
【０００９】
本発明は、このような課題を解決するためになされたものであり、その目的は、解錠用キーにより操作装置の間接的な操作を実現するための錠前装置を取付対象物に取り付けるにあたり、スペースに制約のある環境下でも使用できるようにするための技術を提供することである。
【課題を解決するための手段】
【００１０】
上記課題を解決するため第１の構成（請求項１）は、所定形状の嵌合部に嵌合させた部材により所定方向への変位操作が可能となる変位機構を備えた取付対象物に対し、前記嵌合部の周辺領域に取り付けられる錠前装置であって、前記取付対象物の嵌合部に嵌合可能に形成され、当該錠前装置の裏側から前記取付対象物に向けて延出する位置関係で固定される第１キーと、前記第１キーを前記取付対象物における変位操作と同じ方向へと変位可能に取り付けるキー取付部と、当該錠前装置の表裏方向と交差する平面視で前記キー取付部と重ならない位置に配置され、所定形状の嵌合部である副嵌合部に嵌合させた第２キーにより所定方向への変位操作が可能となる錠前部と、前記錠前部に対する変位操作を、前記取付対象物における変位操作と同じ方向の変位操作として前記キー取付部に伝達することにより、該キー取付部に取り付けられた第１キーを間接的に変位させるリンク機構と、を備えており、前記キー取付部は、少なくとも前記第１キーにおける取付部分たる端部側が前記錠前部と表裏方向に沿って重なる位置関係となるように、該錠前部に対して表裏方向に沿った表側へと所定距離だけオフセットされている。
【００１１】
このように構成された錠前装置であれば、第１キーを取り付けてなるキー取付部と、副嵌合部に嵌合させた第２キーにより所定方向への変位操作が可能となる錠前部とが、当該錠前装置の表裏方向と交差する平面視で重ならない位置に配置されている。
【００１２】
そのため、キー取付部を錠前部に対して表裏方向に沿った表側へとオフセットさせ、第１キーの取付部分たる端部側を錠前部と表裏方向に沿って重なる位置関係とすることができ、この重なりに応じて表裏方向に短く、狭いスペースにも配置可能な錠前装置を実現することができる。こうして、スペースに制約のある環境下であっても、錠前装置を取付対象物に取り付けて使用することができるようになる。
【００１３】
この構成において、キー取付部と錠前部との表裏方向に沿ったオフセットの距離は、取付対象物の表面形状や、取付に利用できる取付スペースの形状などに応じた任意の距離とすればよいが、例えば、第１キーにおいてキー取付部への取付に必要な端部側の長さ以上の距離であって、取付スペースに錠前装置を収めるのに必要な距離を確保することが考えられる。
【００１４】
また、上記構成においては、錠前部における変位操作を取付対象物における変位操作と同じ方向の変位操作としてキー取付部に伝達できればよく、それぞれの変位操作に応じて各構成要素として種々の構成を採用することができる。
【００１５】
例えば、前記取付対象物の変位機構に対する変位操作が、該取付対象物の嵌合部への部材の嵌合方向と交差する平面視で、該嵌合部に嵌合させた部材を該嵌合部の所定箇所を回転中心として回転させる操作である場合においては、下記のような第２の構成（請求項２）とすることが考えられる。
【００１６】
第２の構成において、前記キー取付部は、当該錠前装置の表裏方向と交差する平面視で、前記第１キーの所定箇所を回転中心として回転する方向へと変位可能となるように前記第１キーを取り付けており、前記錠前部は、当該錠前装置の表裏方向と交差する平面視で、前記副嵌合部に嵌合させた前記第２キーを該副嵌合部の所定箇所を回転中心として回転させることができるように構成されており、前記リンク機構は、前記錠前部に対する回転方向の変位操作を、前記取付対象物における変位操作と同じ回転方向の変位操作として前記キー取付部に伝達する。
【００１７】
この構成であれば、取付対象物における回転方向の変位操作に合せて、錠前部における変位操作を取付対象物における変位操作としてキー取付部に伝達させることができる。
ここで、錠前部における変位操作は、取付対象物における変位操作と同じ回転方向の操作となるため、錠前装置の取付前（つまり取付対象物そのものに対する変位操作）と同じ方向の変位操作で第２キーの変位操作を行えばよく、当該錠前装置の取付前後で変位操作の変更に伴う違和感を利用者に与えにくい点でも好適である。
【００１８】
この構成において、キー取付部は、第１キーとともに取付対象物における変位操作と同じ方向へと変位可能に構成されていれば、当該錠前装置本体に固定するための構成は特に限定されない。例えば、下記のような第３の構成（請求項３）とすることが考えられる。
【００１９】
第３の構成においては、当該錠前装置の表裏方向と交差する平面に沿って拡がる板状の躯体部を備え、該躯体部の表側に前記錠前部の副嵌合部が配置され、該躯体部の裏側に前記キー取付部および前記リンク機構が配置されており、前記キー取付部は、当該錠前装置の表裏方向と交差する平面視で、前記第１キーの所定箇所を回転中心として回転可能に前記躯体部へと固定された部材であって、該回転中心を含む領域を表裏方向に貫通する嵌合孔に前記第１キーの端部側が嵌合されており、前記躯体部は、前記キー取付部の嵌合孔に対応する領域に、該嵌合孔を通過してきた前記第１キーの端部側を収容するための収容孔を備え、該収容孔に前記第１キーの端部側を収容して保持することで前記キー取付部が前記躯体部に対して回転可能となるように固定されている。
【００２０】
この構成によれば、キー取付部に形成された嵌合孔に第１キーを嵌合させ、こうして嵌合孔を通過してきた第１キーの端部を躯体部の収容孔に収容させるというシンプルな構造により、躯体部に対してキー取付部を回転可能に固定することができる。こうして、シンプルな構造で部品点数も少なくて済むことから、錠前装置としての表裏方向の厚さを含めて小型化を実現することができる。
【００２１】
また、上述のように、キー取付部を回転可能に構成した場合には、以下に示す第４の構成（請求項４）のように、前記キー取付部に取り付けられた前記第１キーが少なくとも前記取付対象物における変位操作に必要な所定角度以上回転することを抑制する抑制部を備えている、といった構成とすることも考えられる。
【００２２】
この構成によれば、取付対象物の嵌合部に嵌合した第１キーが必要以上に回転することが抑制されるため、必要以上に第１キーを回転させようとする力で取付対象物の嵌合部側が変形、損傷してしまうことを防止することができる。
【００２３】
この構成における抑制部は、第１キーが所定角度以上回転することを抑制することができればよく、第１キーが少なくとも取付対象物における変位操作に必要な角度回転した以降に通過する領域を想定し、このような領域に配置することとすればその具体的な配置領域は特に限定されない。
【００２４】
また、上記第３の構成においては、以下に示す第５の構成（請求項５）のようにすることが考えられる。
第５の構成においては、前記キー取付部に取り付けられた前記第１キーが少なくとも前記取付対象物における変位操作に必要な所定角度以上回転することを抑制する抑制部を備えており、前記抑制部は、前記躯体部における収容孔のうち、前記第１キーが少なくとも前記取付対象物における変位操作に必要な角度回転した以降に通過する領域に向けて、該収容孔内周面から延びる延出片として形成されている。
【００２５】
この構成によれば、取付対象物の嵌合部に嵌合した第１キーが必要以上に回転することが抑制されるため、必要以上に第１キーを回転させようとする力で取付対象物の嵌合部側が変形、損傷してしまうことを防止することができる。
【００２６】
また、躯体部の構成要素として収容孔と抑制部とを一体的に形成することができる。
【図面の簡単な説明】
【００２７】
【図１】錠前装置の全体構造を示す斜視図
【図２】錠前装置の全体構造を示す三面図
【図３】リンク機構およびキー取付部の構造を示す図
【図４】別の実施形態におけるリンク機構およびキー取付部の構造を示す図
【発明を実施するための形態】
【００２８】
以下に本発明の実施形態を図面と共に説明する。
（１）全体構成
錠前装置１は、図１、図２に示すように、取付対象物１００に取り付けられるものであり、第1キー１０を取り付けてなるキー取り付け部２０と、錠前装置１の表裏方向と交差する平面視でキー取付部２０と重ならない位置に配置された錠前部３０と、錠前部３０に対する変位操作をキー取付部２０に伝達するリンク機構４０と、錠前装置１の表裏方向と交差する平面に沿って拡がる板状の躯体部５０と、を備えている。
【００２９】
本実施形態において、取付対象物１００は、遊技機の筐体内に配置される設定変更用のスイッチボックスであり、所定形状のキーを嵌合させるための嵌合部１１０を有する変位機構１２０としてのスイッチが前面に配置され、この嵌合部１１０にキーを嵌合させた状態でスイッチ操作（キーを回転させる方向への操作）が可能となる。つまり、取付対象物１００に対する変位操作は、嵌合部１１０への部材の嵌合方向（図１における矢印方向）と交差する平面視で、嵌合部１１０における所定箇所を回転中心として嵌合部１１０に嵌合させたキーを回転させる操作となる。
【００３０】
なお、取付対象物１００となる操作装置としては、上記以外にも、券売機や自販機などの筐体内に配置された料金回収箱などに採用することも考えられ、この場合、開閉する扉の施錠および解錠を行う錠前が変位機構１２０となる。
【００３１】
第１キー１０は、取付対象物１００の嵌合部１１０に嵌合可能に構成された部材であり、錠前装置１の裏側から取付対象物１００に向けて延出する位置関係で固定される。
キー取付部２０は、第１キー１０を取付対象物１００における変位操作と同じ方向へと変位可能に取り付ける部材である。
【００３２】
本実施形態においては、錠前装置１の表裏方向と交差する平面視で、第１キー１０の所定箇所を回転中心として回転可能に躯体部５０へと固定された板状の部材であって、この回転中心を含む領域を表裏方向に貫通する嵌合孔２１に第１キー１０の端部側が嵌合されている。こうして、キー取付部２０は、錠前装置１の表裏方向と交差する平面視で、第１キー１０の所定箇所を回転中心として回転する方向へと変位可能となるように第１キー１０を取り付けている。
【００３３】
なお、このキー取付部２０は、取付対象物１００における変位操作と同じ方向に変位可能となっていれば、錠前装置１本体に固定するための構成は特に限定されない。
錠前部３０は、所定形状の嵌合部である副嵌合部３１を備え、この副嵌合部３１に嵌合させた第２キー６０により所定方向への変位操作が可能となる。本実施形態においては、錠前装置１の表裏方向と交差する平面視で、副嵌合部３１に嵌合させた第２キー６０を副嵌合部３１の所定箇所を回転中心として回転させることができるように構成されている。
【００３４】
リンク機構４０は、錠前部３０に対する変位操作を、取付対象物１００における変位操作と同じ方向の変位操作としてキー取付部２０に伝達することにより、キー取付部２０に取り付けられた第１キー１０を間接的に変位させる。本実施形態においては、錠前部３０に対する回転方向の変位操作を、取付対象物１００における変位操作と同じ回転方向の変位操作としてキー取付部２０に伝達するように構成されている。
【００３５】
また、このリンク機構４０は、図３に示すように、錠前装置１の表裏方向と交差する平面視で、錠前部３０における回転方向の変位操作に従動して回転する板状の回転部材４１と、回転部材４１における回転中心から所定長さ離れた箇所をキー取付部２０に繋ぐ棒状部材４３と、を有している。
【００３６】
この構成においては、回転部材４１と棒状部材４３とがキー取付部２０から離れる方向（右上方）にオフセットされた箇所で固定されていることに伴い、棒状部材４３とキー取付部２０との固定箇所が、キー取付部２０における回転中心を基準として同じ方向（右上方）にオフセットされた位置となっている。ただ、この固定箇所は、リンク機構４０として正常に機能する範囲であれば、どのような位置関係であってもよく、例えば、図４に示すように、キー取付部２０における回転中心を基準にキー取付部２０へと接近する方向（右下方）に延びた位置にて固定した場合であれば、同じ方向（右下方）にオフセットされた位置としてもよい。
【００３７】
なお、上記リンク機構４０は、錠前部３０およびキー取付部２０それぞれが同じ回転方向に沿った変位操作であるため、この方向を維持したまま変位操作を伝達する機構として構成されている。ただ、このリンク機構４０は、錠前部３０に対する変位操作を取付対象物における変位操作と同じ方向の変位操作としてキー取付部に伝達させることができればよく、それぞれが異なる方向に沿った変位操作である場合、錠前部３０に対する変位操作の方向をキー取付部２０における変位操作の方向に変換して伝達するような機構として構成するとよい。
【００３８】
躯体部５０は、表側に錠前部３０の副嵌合部３１が配置され、裏側にキー取付部２０およびリンク機構４０が配置されており、錠前部３０に対応する領域５１よりも、キー取付部２０に対応する領域５３の方が、表裏方向に沿った表側へと所定距離だけオフセットされた構成とされている。これにより、キー取付部２０が、少なくとも第１キー１０の取付部分たる端部側が錠前部３０と表裏方向に沿って重なる位置関係となっている。
【００３９】
このキー取付部２０と錠前部３０との表裏方向に沿ったオフセットの距離は、第１キー１０においてキー取付部２０への取付に必要な端部側の長さ以上の距離として、取付に必要な取付スペースの形状に応じた距離が確保されている。ただ、この距離は、取付対象物１００の表面形状や、取付スペースの形状などに応じた任意の距離とすればよく、上記距離に限られない。
【００４０】
また、躯体部５０は、キー取付部２０の嵌合孔２１に対応する領域に、嵌合孔２１を通過してきた第１キー１０の端部側を収容するための収容孔５５を備え、この収容孔５５に第１キー１０の端部側を収容して保持することでキー取付部２０が躯体部５０に対して回転可能となるように固定されている。なお、ここでは、収容孔５５が表裏方向に貫通する孔として形成されているが、第１キー１０の端部側を収容可能であれば、貫通していない凹状の孔として形成されたものであってもよい。
【００４１】
また、本実施形態において、収容孔５５には、第１キー１０が少なくとも取付対象物１００における変位操作に必要な角度回転した以降に通過する領域に向けて、収容孔５５内周面から延びる延出片である抑制部５７を備えている。この抑制部５７により、キー取付部２０に取り付けられた第１キー１０は、少なくとも取付対象物１００における変位操作に必要な所定角度以上回転することが抑制されることとなる。
【００４２】
なお、この抑制部５７は、第１キー１０が必要以上回転することを抑制することができればよく、躯体部５０における収容孔５５の内周面から延出する延出片とする以外に、第１キー１０が少なくとも取付対象物１００における変位操作に必要な角度回転した以降に通過する領域を想定し、このような領域に配置することとすればその具体的な配置領域は特に限定されない。
【００４３】
例えば、収容孔５５を表裏方向に貫通する孔として形成した場合であれば、収容孔５５から躯体部５０の表面側に突出する第１キー１０の端部に接触する位置関係で、躯体部５０の表面に別部材として抑制部５７を設けることが考えられる。また、躯体部５０の裏側に位置する第１キー１０の外周面に接触する位置関係で、躯体部５０の裏面に別部材として抑制部５７を設けることが考えられる。これら抑制部５７は、躯体部５０の表側、裏側、および、収容孔５５の内周領域のいずれかに設けた構成としてもよいし、これら２カ所以上に設けた構成としてもよい。
【００４４】
なお、上述した構成においては、錠前部３０における変位操作を取付対象物１００における変位操作と同じ方向の変位操作としてキー取付部２０に伝達できればよく、それぞれの変位操作に応じて各構成要素として種々の構成を採用することができる。
（２）作用，効果
このように構成された錠前装置１であれば、第１キー１０を取り付けてなるキー取付部２０と、副嵌合部３１に嵌合させた第２キー６０により所定方向への変位操作が可能となる錠前部３０とが、錠前装置１の表裏方向と交差する平面視で重ならない位置に配置されている。
【００４５】
そのため、キー取付部２０を錠前部３０に対して表裏方向に沿った表側へとオフセットさせ、第１キー１０の取付部分たる端部側を錠前部３０と表裏方向に沿って重なる位置関係とすることができ、この重なりに応じて表裏方向に短く、狭いスペースにも配置可能な錠前装置１を実現することができる。こうして、スペースに制約のある環境下であっても、錠前装置１を取付対象物１００に取り付けて使用することができるようになる。
【００４６】
また、上記構成であれば、取付対象物１００における回転方向の変位操作に合せて、錠前部３０における変位操作を取付対象物１００における変位操作としてキー取付部に伝達させることができる。
【００４７】
ここで、錠前部３０における変位操作は、取付対象物１００における変位操作と同じ回転方向の操作となるため、錠前装置１の取付前（つまり取付対象物１００そのものに対する変位操作）と同じ方向の変位操作で第２キー６０の変位操作を行えばよく、錠前装置１の取付前後で変位操作の変更に伴う違和感を利用者に与えにくい点でも好適である。
【００４８】
また、上記構成によれば、板状のキー取付部２０に形成された嵌合孔２１に第１キー１０を嵌合させ、こうして嵌合孔２１を通過してきた第１キー１０の端部を躯体部５０の収容孔５５に収容させるというシンプルな構造により、躯体部５０に対してキー取付部２０を回転可能に固定することができる。こうして、シンプルな構造で部品点数も少なくて済むことから、錠前装置１としての表裏方向の厚さを含めて小型化を実現することができる。
【００４９】
また、上記構成によれば、抑制部５７によって、取付対象物１００の嵌合部１１０に嵌合した第１キー１０が必要以上に回転することが抑制されるため、必要以上に第１キー１０を回転させようとする力で取付対象物１００の嵌合部１１０側が変形、損傷してしまうことを防止することができる。
【００５０】
特に、上記構成では、抑制部５７が躯体部５０における収容孔５５の内周面から延びる延出片として形成されているため、躯体部５０の構成要素として収容孔５５と抑制部５７とを一体的に形成することができる。
【符号の説明】
【００５１】
１…錠前装置、１０…第１キー、２０…キー取付部、２１…嵌合孔、３０…錠前部、３１…副嵌合部、４０…リンク機構、４１…回転部材、４３…棒状部材、５０…躯体部、５１…領域、５３…領域、５５…収容孔、５７…抑制部、６０…第２キー、１００…取付対象物、１１０…嵌合部、１２０…変位機構。
【図１】
0006474154.tif 000002
【図２】
0006474154.tif 000003
【図３】
0006474154.tif 000004
【図４】
0006474154.tif 000005